(57)【要約】【課題】  使用する場合は軸部が適度な長さを有して手で握って筆記しやすくなり、携帯する場合は軸部がコンパクトに縮小して嵩張らない状態に変化しうる筆記具を提供する。【解決手段】  複数の軸部構成部材が軸方向に沿って入れ子式に配置されて軸部が伸長又は短縮可能に構成され、先端部に配置された上記軸部構成部材からペン先部が突設されると共に、上記ペン先部が突設された上記軸部構成部材に対しキャップが着脱可能に被着されている。複数の上記軸部構成部材は、上記ペン先部が突設された端部に配置された軸部構成部材の径が最も大きく、反対側の端部に向かって径が次第に縮小するように形成されている。【選択図】  図１
0003130036.tif 000002
【実用新案登録請求の範囲】
【請求項１】
複数の軸部構成部材が軸方向に沿って入れ子式に配置されて軸部が伸長又は短縮可能に構成され、
先端部に配置された上記軸部構成部材からペン先部が突設されると共に、上記ペン先部が突設された上記軸部構成部材に対しキャップが着脱可能に被着されていることを特徴とする筆記具。
【請求項２】
複数の上記軸部構成部材は、上記ペン先部が突設された端部に配置された軸部構成部材の径が最も大きく、反対側の端部に向かって径が次第に縮小するように形成されていることを特徴とする請求項１記載の筆記具。
【請求項３】
径が最も小さくなる側の端部に配置された上記軸部構成部材には飾り部材が取り付けられていることを特徴とする請求項２記載の筆記具。
【請求項４】
複数の上記軸部構成部材を伸長させた場合に、隣接する軸部構成部材との分離を阻止しうると共に軸部が最も伸長した状態を固定しうる係止部を有していることを特徴とする請求項１〜３のいずれか１項記載の筆記具。
【請求項５】
上記ペン先部はボールペンのペン先部であることを特徴とする請求項１〜４のいずれか１項記載の筆記具。
【考案の詳細な説明】
【技術分野】
【０００１】
本考案は筆記具に係り、特に、使用する場合は軸部が伸長し、不使用の場合は軸部が短縮して、使用性及び携帯性の良好な筆記具に関する。
【背景技術】
【０００２】
一般的な筆記具は、所要長さの軸部を有し、その軸部の全長は不変に形成されている。
【０００３】
筆記具を携帯する場合、衣服のポケットに差し込んだり、ペンケースに収納してバッグ等により持ち運ぶことが多いが、筆記具の軸部が長いことから、ある程度の収納スペースが必要で、嵩張るために、他の携帯品の邪魔になるという不具合があった。
【０００４】
筆記具の携帯性を向上させるには、軸部の全長を短縮することが有効であるが、そのようにした場合、手で握って筆記しにくくなり、使用性が悪化するという弊害がある。
【考案の開示】
【考案が解決しようとする課題】
【０００５】
そこで本考案の課題は、使用する場合は軸部が適度な長さを有して手で握って筆記しやすくなり、携帯する場合は軸部がコンパクトに縮小して嵩張らない状態に変化しうる筆記具を提供することにある。
【課題を解決するための手段】
【０００６】
上記課題を解決するために、本考案に係る筆記具は、複数の軸部構成部材が軸方向に沿って入れ子式に配置されて軸部が伸長又は短縮可能に構成され、先端部に配置された上記軸部構成部材からペン先部が突設されると共に、上記ペン先部が突設された上記軸部構成部材に対しキャップが着脱可能に被着されていることを特徴とする。
【０００７】
すなわち、本考案に係る上記筆記具は、入れ子式に配置された複数の軸部構成部材を有し、各軸部構成部材は中空筒状で、互いに異なる直径により形成されている。
そして、隣接する軸部構成部材同士は相互に軸方向へスライド可能に連結されて、径の小さい方の軸部構成部材は径の大きい方の軸部構成部材の内部へ没入可能に形成され、没入した場合に、軸部の長さを短縮することができる。
また、径の大きい軸部構成部材の内部に没入している状態の径の小さい軸部構成部材が、径の大きい軸部構成部材から脱出する方向へスライドした場合は、軸部の長さを伸長することができる。
また、先端部に配置された軸部構成部材にはペン先部が突設されて、筆記可能に構成されている。上記ペン先部は軸部構成部材の内部へ没入せず、突出したままの状態を維持するように構成され、ペン先部の乾燥を防止するためにキャップが先端部の軸部構成部材に対し着脱可能に被着されている。
【０００８】
また、本考案に係る上記筆記具にあっては、複数の上記軸部構成部材は、上記ペン先部が突設された端部に配置された軸部構成部材の径が最も大きく、反対側の端部に向かって径が次第に縮小するように形成されていることを特徴とする。
【０００９】
すなわち、本考案に係る上記筆記具は、軸部の径が軸方向に沿って一定ではなく、ペン先部が設けられた先端部側が最も太く、反対方向の端部に向かって径が次第に細くなっている。したがって、筆記する場合は、径の太い側の軸部構成部材を掌で握持することになる。
【００１０】
また、本考案に係る上記筆記具は、径が最も小さくなる側の端部に配置された上記軸部構成部材には飾り部材が取り付けられていることを特徴とする。
【００１１】
すなわち、本考案に係る上記筆記具にあっては、上記軸部においてペン先部が設けられた端部の反対側の端部に、装飾性を向上させて、視覚的な興趣を生じさせるように飾り部材を取り付けている。
【００１２】
また、本考案に係る上記筆記具は、複数の上記軸部構成部材を伸長させた場合に、隣接する軸部構成部材との分離を阻止しうると共に軸部が最も伸長した状態を固定しうる係止部を有していることを特徴とする。
【００１３】
すなわち、本考案に係る上記筆記具にあっては、上記係止部が各軸部構成部材が相互に分離する事態を防止すると共に、上記係止部により軸部が最も伸長した状態が固定され、維持される。
【００１４】
また、本考案に係る上記筆記具は、上記ペン先部はボールペンのペン先部であることを特徴とする。
【００１５】
すなわち、本考案に係る上記筆記具にあっては、先端の軸部構成部材にはボールペンのペン先部が取り付けられている。
【考案の効果】
【００１６】
請求項１記載の本考案に係る筆記具は、複数の軸部構成部材が軸方向に沿って入れ子式に配置されて軸部が伸長又は短縮可能に構成され、先端部に配置された上記軸部構成部材からペン先部が突設されると共に、上記ペン先部が突設された上記軸部構成部材に対しキャップが着脱可能に被着されていることから、使用する場合は、上記軸部を伸長して掌で握持することができるので、筆記しやすく、又、携帯する場合は、上記軸部をコンパクトに短縮して嵩張らないようにすることができ、使用性及び携帯性が共に良好である。
また、上記複数の軸部構成部材は入れ子式に配置することにより伸縮可能としたので、構造がシンプルで容易に低コストで製造することができる。
【００１７】
請求項２記載の本考案に係る上記筆記具にあっては、複数の上記軸部構成部材は、上記ペン先部が突設された端部に配置された軸部構成部材の径が最も大きく、反対側の端部に向かって径が次第に縮小するように形成されていることから、筆記するために上記軸部を掌で握持する場合に、径の大きい側の上記軸部構成部材を握持することになり、掌にフィットして握りやすく、筆記しやすい。
また、上記ペン先部を設ける軸部構成部材の軸径が大きいことから、軸径の小さいものよりペン先部を装着しやすい。
【００１８】
請求項３記載の本考案に係る上記筆記具は、径が最も小さくなる側の端部に配置された上記軸部構成部材には飾り部材が取り付けられていることから、装飾性が向上し、視覚的な興趣が生じるので、使用中、又は携帯中に、上記興趣を楽しむことができる。
【００１９】
請求項４記載の本考案に係る上記筆記具は、複数の上記軸部構成部材を伸長させた場合に、隣接する軸部構成部材との分離を阻止しうると共に軸部が最も伸長した状態を固定しうる係止部を有していることから、複数の上記軸部構成部相互の分離を防止することができる。また、軸部を伸長して筆記している間に、軸部が不本意に短縮することもなく、掌で握り難くなるという不具合がない。
【００２０】
請求項５記載の本考案に係る上記筆記具は、上記ペン先部はボールペンのペン先部であることから、シャプペンシルのようにノック機構等を追加して構造が複雑化したり、マーキングペンのようにインク吸蔵部材を内部に収納して大型化する等の不具合を避けることができる。
【考案を実施するための最良の形態】
【００２１】
以下、図面を用いて本考案の実施の形態について説明する。
本実施の形態に係る筆記具１１は、複数の軸部構成部材１３，１４，１５，１６が軸方向に沿って入れ子式に配置されて軸部１２が、図１及び図２に示すように伸長、又は図３及び図４に示すように短縮可能に構成され、先端部に配置された上記軸部構成部材１３から図１に示すようにペン先部１９が突設されると共に、上記ペン先部１９が突設された上記軸部構成部材１３に対し、図３及び図４に示すようにキャップ２２が着脱可能に被着されている。
また、複数の上記軸部構成部材１３，１４，１５，１６は、図１に示すように上記ペン先部１９が突設された端部に配置された軸部構成部材１３の径が最も大きく、反対側の端部に向かって径が次第に縮小するように形成されている。
また、径が最も小さくなる側の端部に配置された上記軸部構成部材１６には、図１に示すように飾り部材２０が取り付けられている。
また、図２に示すように、複数の上記軸部構成部材１３，１４，１５，１６を伸長させた場合に、隣接する軸部構成部材との分離を阻止しうると共に軸部１２が最も伸長した状態を固定しうる係止部２６，２７，２８を有している。
また、図１及び図２に示すように、上記ペン先部１９はボールペン１８のペン先部１９である。
【実施例１】
【００２２】
図は実施例に係る筆記具１１を示したものである。
本実施例に係る筆記具１１は、図１〜図４に示すように、軸方向に伸縮可能な軸部１２を有している。
【００２３】
上記軸部１２は、複数の軸部構成部材１３，１４，１５，１６により構成されている。
上記複数の軸部構成部材１３，１４，１５，１６は入れ子式に配置されている。
【００２４】
すなわち、複数の上記軸部構成部材１３，１４，１５，１６は、プラスチックにより互いに径の異なる中空の略円筒状に形成され、縦列するように配置されて互いに連結されている。
【００２５】
図２に示すように、複数の上記軸部構成部材１３，１４，１５，１６のうち最も径の大きい軸部構成部材１３は隣接する径のより小さい軸部構成部材１４の外径より僅かに内径が大きく、上記軸部構成部材１４は隣接する径のより小さい軸部構成部材１５の外径より内径が僅かに大きく、上記軸部構成部材１５は隣接する径のより小さい軸部構成部材１６の外径より内径が僅かに大きく設定されている。
【００２６】
複数の上記軸部構成部材１３，１４，１５，１６は、図３及び図４に示すように、隣接する径の小さい軸部構成部材が、径の大きい軸部構成部材の内部に没入する方向へスライドしうると共に、図１及び図２に示すように、没入した内部から外部へ脱出する方向へもスライドしうるように形成されている。
【００２７】
複数の上記軸部構成部材１３，１４，１５，１６のうち、最も径の大きい先端部に配置された上記軸部構成部材１３からは、図１に示すように、ペン先部１９が突設されている。    
すなわち、図２に示すように、上記軸部構成部材１３の内部にはボールペン１８が収納されて筆記体保持部３５により固定され、ペン先部１９は軸先端口１９から突出している。
【００２８】
図１、図３及び図４に示すように、径が最も大きく、上記ペン先部１９を突出させた上記軸部構成部材１３に被着可能なキャップ２２が備えられている。
上記キャップ２２は透明なプラスチックにより形成され、図１に示すように、その開口端部に嵌合部２３が設けられている。
【００２９】
複数の上記軸部構成部材１３，１４，１５，１６は、図１及び図２に示すように、上記ペン先部１９が突設された端部に配置された軸部構成部材１３の径が最も大きく、反対側の端部に向かって径が次第に縮小するように形成されているが、径が最も小さくなる側の端部に配置された上記軸部構成部材１６の反ペン先部側の端部には、図１に示すように、飾り部材２０が取り付けられている。
すなわち、上記飾り部材２０には、図１に示すように、空洞部２１が設けられ、上記空洞部２１の内部に図２に示すように取付部２５が設けられ、上記軸部構成部材１６の端部が上記取付部２５に固定されている。
なお、上記飾り部材２０はキャラクター人形やマスコット人形などに形成することができる。
また、上記飾り部材２０には、図１及び図２に示すように、ストラップ２４を接続することができる。
【００３０】
上記軸部１２には、図２に示すように、複数の上記軸部構成部材１３，１４，１５，１６が伸長する方向へスライドした場合に、隣接する軸部構成部材同士の分離を防止しうる係止部２６，２７，２８が設けられている。
【００３１】
上記係止部２６，２７，２８は、図２に示すように、上記軸部構成部材１３，１４，１５の反ペン先部側の端部に夫々形成された内向フック部３１，３０，２９と、上記軸部構成部材１４，１５，１６のペン先部側の端部に夫々形成されて、上記軸部１２が伸長した場合に、図２に示すように、上記内向フック部３１，３０，２９と係合しうるた外向フック部３４，３３，３２とにより構成されている。
【００３２】
また、上記係止部２６，２７，２８における上記外向フック部２９，３０，３１は、図２に示すように、軸部１２が伸長した状態で、隣接する軸部構成部材１３，１４，１５の内面部に密着するように外径寸法が設定され、その密着による摩擦力で軸部１２の伸長状態を固定しうるように形成されている。
【００３３】
図３及び図４に示すように、上記軸部１２を短縮させて、上記軸部構成部材１３に上記キャップ２２を被着させた場合、上記キャップ２２の嵌合部２３は上記飾り部材２０の空洞部２１に挿入されて、上記空洞部２１の内面部に外面部を密着させて摩擦力により固定されうるように外径寸法が設定されている。
【００３４】
以下に、上記実施例の作用について説明する。
まず、上記筆記具１１を携帯する場合は、図３及び図４に示すように、上記軸部１２を短縮することができる。
したがって、上記筆記具１１の全長が短くなってコンパクトになり、衣服のポケットやバッグ等に収納した場合に嵩張らず、邪魔にならないので、携帯性が向上する。
上記軸部１２を短縮するには、上記各軸部構成部材１３，１４，１５，１６を軸方向にスライドさせて、隣接する径が小さい方の軸部構成部材を径の大きい方の軸部構成部材の内部へ没入させればよい。
上記軸部１２を短縮させた状態で、上記軸部構成部材１３には上記キャップ２２を被着させることができるので、上記軸部構成部材１３から突設された上記ペン先部１９は上記キャップ２２で保護される。
【００３５】
次に、上記筆記具１１を使用する場合、すなわち、上記筆記具１１で筆記する場合は、図１及び図２に示すように、上記軸部１２を伸長させる。したがって、上記軸部１２を掌で握持しやすくなり、筆記しやすいため、使用性が向上する。
上記軸部１２を伸長させるには、上記キャップ２２を軸部１２から取り外した後に、上記のように軸部１２を短縮させた状態から、各軸部構成部材１３，１４，１５，１６を軸方向へスライドさせて、隣接する径が小さい方の軸部構成部材を径の大きい方の軸部構成部材から引き出せばよい。  
上記のように軸部１２を伸長させた状態では、上記係止部２６，２７，２８により各軸部構成部材１３，１４，１５，１６の分離が防止される。
また、上記係止部２６，２７，２８により軸部１２の伸長した状態が維持される。したがって、筆記中に、軸部１２が不本意に短縮する不具合がない。
【００３６】
上記軸部１２における最も径が小さい軸部構成部材１６には上記飾り部材２０が取り付けられているので、上記筆記具１１は視覚的な興趣を生じさせている。したがって、上記筆記具１１の所持者は、使用中又は携帯中に上記飾り部材２０を見て楽しむことができる。
【００３７】
また、上記軸部１２は、一端から他端に向かって径が次第に縮小しているが、最も太い軸部構成部材１３に上記ペン先部１９が設けられているので、上記の太い軸径の軸部構成部材１３を掌で握って筆記することができる。したがって、掌にフィットして使い勝手が良好である。
【産業上の利用可能性】
【００３８】
本考案は、筆記具に適用可能である。
【図面の簡単な説明】
【００３９】
【図１】本考案の実施例に係る筆記具の伸長状態の斜視図である。
【図２】本考案の実施例に係る筆記具の伸長状態の断面図である。
【図３】本考案の実施例に係る筆記具の短縮状態の斜視面図である。
【図４】本考案の実施例に係る筆記具の短縮状態の断面図である。
【符号の説明】
【００４０】
１１  筆記具
１２  軸部
１３  軸部構成部材
１４  軸部構成部材
１５  軸部構成部材
１６  軸部構成部材
１７  軸先端口
１８  ボールペン
１９  筆先部
２０  飾り部材
２１  空洞部
２２  キャップ
２３  嵌合部
２４  ストラップ
２５  取付部
２６  係止部
２７  係止部
２８  係止部
２９  内向フック部
３０  内向フック部
３１  内向フック部
３２  外向フック部
３３  外向フック部
３４  外向フック部
３５  筆記体保持部
【図１】
0003130036.tif 000003
【図２】
0003130036.tif 000004
【図３】
0003130036.tif 000005
【図４】
0003130036.tif 000006